(57)【特許請求の範囲】
【請求項１】
マイナスに帯電している懸濁物を含む被処理水に、水中でプラスに帯電する凝集剤を注入して、懸濁物を凝集させることによってフロックを含む処理水を生成させる工程と、
前記処理水に残留している残留凝集剤量を推算する工程と、
前記残留凝集剤量と目標残留量とを比較して、前記残留凝集剤量が前記目標残留量よりも多いときは、前記被処理水に注入した前記凝集剤の量が過剰であると判断し、前記残留凝集剤量が前記目標残留量よりも少ないときは、前記被処理水に注入した前記凝集剤の量が過少であると判断する工程とを有し、
前記処理水に残留している残留凝集剤量を推算する工程は、
前記処理水の一部を採取し、採取した前記処理水からフロックを分離除去して、微粒子を含む試験水を調製する工程と、
前記試験水の中に陽極と陰極を配置し、前記試験水に電圧を印加して、前記試験水に含まれている微粒子の中で前記陰極の方向に移動する微粒子の移動速度を測定する工程と、
前記陰極の方向に移動する微粒子の前記移動速度に基づいて前記処理水に残留している残留凝集剤量を推算する工程とを含む水処理方法。
【請求項２】
前記試験水を調製する工程において、前記処理水からフロックを分離除去する方法が、ろ過、遠心分離又は沈降分離である請求項１に記載の水処理方法。
【請求項３】
さらに、前記採取した処理水に含まれている前記フロックの荷電の分散値を測定する工程を有し、
前記目標残留量を、前記フロックの荷電の分散値を測定する工程にて測定されたフロックの荷電の分散値が目標値以上であると判断したときの、前記処理水を用いて推算した残留凝集剤量とする請求項１に記載の水処理方法。
【請求項４】
前記フロックの荷電の分散値を測定する工程が、
前記採取した前記処理水の中に陽極と陰極を配置し、前記処理水に電圧を印加して複数の前記フロックの移動速度を前記フロック毎に測定する工程と、
各フロックの移動速度のベクトルが、前記陽極の方向の成分を含む場合に第１符号を付与し、前記陰極の方向の成分を含む場合に第２符号を付与し、前記第１符号の移動速度および前記第２符号の移動速度をそれぞれ所定の大きさ毎に集計して、前記複数のフロックの移動速度分布における分散値を算出する工程とを有する請求項３に記載の水処理方法。
【請求項５】
マイナスに帯電している懸濁物を含む被処理水に、水中でプラスに帯電する凝集剤を注入して、懸濁物を凝集させることによってフロックを含む処理水を生成させる混和池と、
前記処理水に残留している残留凝集剤量を推算する装置と、
前記残留凝集剤量と目標残留量とを比較して、前記残留凝集剤量が前記目標残留量よりも多いときは、前記被処理水に注入した前記凝集剤の量が過剰であると判断し、前記残留凝集剤量が前記目標残留量よりも少ないときは、前記被処理水に注入した前記凝集剤の量が過少であると判断する装置とを有し、
前記残留凝集剤量を推算する装置は、
前記処理水の一部を採取し、採取した前記処理水からフロックを分離除去して、微粒子を含む試験水を調製する調製部と、
前記試験水の中に陽極と陰極を配置し、前記試験水に電圧を印加して、前記試験水に含まれている微粒子の中で前記陰極の方向に移動する微粒子の移動速度を測定する測定部と、
前記陰極の方向に移動する微粒子の前記移動速度に基づいて前記処理水に残留している残留凝集剤量を推算する推算部とを含む水処理施設。
【請求項６】
前記調製部において、前記処理水からフロックを分離除去する方法が、ろ過、遠心分離又は沈降分離である請求項５に記載の水処理施設。
【請求項７】
さらに、前記採取した処理水に含まれている前記フロックの荷電の分散値を測定する装置を有し、
前記目標残留量を、前記フロックの荷電の分散値を測定する装置にて測定されたフロックの荷電の分散値が目標値以上であると判断したときの、前記処理水を用いて推算した残留凝集剤量とする請求項５に記載の水処理施設。
【請求項８】
前記フロックの荷電の分散値を測定する装置が、
前記採取した前記処理水の中に陽極と陰極を配置し、前記処理水に電圧を印加して複数の前記フロックの移動速度を前記フロック毎に測定する測定部と、
各フロックの移動速度のベクトルが、前記陽極の方向の成分を含む場合に第１符号を付与し、前記陰極の方向の成分を含む場合に第２符号を付与し、前記第１符号の移動速度および前記第２符号の移動速度をそれぞれ所定の大きさ毎に集計して、前記複数のフロックの移動速度分布における分散値を算出する算出部とを有する請求項７に記載の水処理施設。
【請求項９】
マイナスに帯電している懸濁物を含む被処理水に、水中でプラスに帯電する凝集剤を注入して、懸濁物を凝集させることによって生成させたフロックを含む処理水に残留している残留凝集剤量を推算する装置と、
前記残留凝集剤量と目標残留量とを比較して、前記残留凝集剤量が前記目標残留量よりも多いときは、前記被処理水に注入した前記凝集剤の量が過剰であると判断し、前記残留凝集剤量が前記目標残留量よりも少ないときは、前記被処理水に注入した前記凝集剤の量が過少であると判断する装置とを有し、
前記残留凝集剤量を推算する装置が、
前記処理水の一部を採取し、採取した前記処理水からフロックを分離除去して、微粒子を含む試験水を調製する調製部と、
前記試験水の中に陽極と陰極を配置し、前記試験水に電圧を印加して、前記試験水に含まれている微粒子の中で前記陰極の方向に移動する微粒子の移動速度を測定する測定部と、
前記陰極の方向に移動する微粒子の前記移動速度に基づいて前記処理水に残留している残留凝集剤量を推算する推算部とを含む注入凝集剤量評価システム。
【請求項１０】
前記調製部において、前記処理水からフロックを分離除去する方法が、ろ過、遠心分離又は沈降分離である請求項９に記載の注入凝集剤量評価システム。
【請求項１１】
さらに、前記採取した処理水に含まれている前記フロックの荷電の分散値を測定する装置を有し、
前記目標残留量を、前記フロックの荷電の分散値を測定する装置にて測定されたフロックの荷電の分散値が目標値以上であると判断したときの、前記処理水を用いて推算した残留凝集剤量とする請求項９に記載の注入凝集剤量評価システム。
【請求項１２】
前記フロックの荷電の分散値を測定する装置が、
前記採取した前記処理水の中に陽極と陰極を配置し、前記処理水に電圧を印加して複数の前記フロックの移動速度を前記フロック毎に測定する測定部と、
各フロックの移動速度のベクトルが、前記陽極の方向の成分を含む場合に第１符号を付与し、前記陰極の方向の成分を含む場合に第２符号を付与し、前記第１符号の移動速度および前記第２符号の移動速度をそれぞれ所定の大きさ毎に集計して、前記複数のフロックの移動速度分布における分散値を算出する算出部とを有する請求項１１に記載の注入凝集剤量評価システム。
【請求項１３】
マイナスに帯電している懸濁物を含む被処理水に、水中でプラスに帯電する凝集剤を注入して、懸濁物を凝集させることによって生成させたフロックを含む処理水の一部を採取し、採取した前記処理水からフロックを分離除去して、微粒子を含む試験水を調製する調製部と、
前記試験水の中に陽極と陰極を配置し、前記試験水に電圧を印加して、前記試験水に含まれている微粒子の中で前記陰極の方向に移動する微粒子の移動速度を測定する測定部と、
前記陰極の方向に移動する微粒子の前記移動速度に基づいて前記処理水に残留している残留凝集剤量を推算する推算部とを含む残留凝集剤量推算装置。
【請求項１４】
前記調製部において、前記処理水からフロックを分離除去する方法が、ろ過、遠心分離又は沈降分離である請求項１３に記載の残留凝集剤量推算装置。
【発明の詳細な説明】
【技術分野】
【０００１】
本発明の実施形態は、水処理方法、水処理施設、注入凝集剤量評価システムおよび残留凝集剤量推算装置に関する。
【背景技術】
【０００２】
河川水、雨水、下水、工業排水などの被処理水（原水）に含まれている懸濁物は、一般に、マイナスに帯電している。この原水から懸濁物を除去する処理方法として、原水に水中でプラスに帯電する凝集剤を注入する方法が知られている。この方法は、凝集剤によって原水中の懸濁物の荷電を中性として、懸濁物の凝集物であるフロックを生成させ、これを沈殿させて除去する方法である。水中でプラスに帯電する凝集剤としては、ポリ塩化アルミニウム（ＰＡＣ）および硫酸アルミニウム（硫酸ばんど）が広く用いられている。
【０００３】
この凝集剤を用いる水処理方法では、フロックの凝集状態は、原水に対する凝集剤の注入量によって変化する。しかし、フロックの凝集状態が良好となる凝集剤の注入量は、原水の水質に伴って変化する。このため、原水の水質の変動に対応させて、フロックの凝集状態が良好となるように、凝集剤の注入量を適切に制御する方法が検討されている。
【０００４】
原水への凝集剤の注入量を制御する方法として、処理水のフロックの凝集状態を評価し、その結果を用いて最適な注入量を算出する方法が知られている。従来、フロックの凝集状態の指標としては、流動電流値、濾過時間指標（Suction  time  ratio：ＳＴＲ）、フロックの表面電位の平均値等が用いられている。また、処理水からフロックを分級し、その分級後の処理水のアルミニウム濃度を、エリオクロムシアニンレッドを呈色試薬として用いた吸光光度法により測定する方法も知られている。
【０００５】
しかし、流動電流値および濾過時間指標は、原水の水質によって最適値が大きく異なるため、広く用いることができなかった。また、フロックの表面電位の平均値は、フロックの凝集状態が良好であるか否かの判断がしにくいものであった。アルミニウム濃度を吸光光度法により測定する方法は、凝集剤を注入してからアルミニウム濃度の測定結果が得られるまでに時間が掛かり、原水の水質が変動する場合があった。
このため、これらの指標を用いて原水への凝集剤の注入量を制御しても、注入量を制御することによる効果が十分に得られない場合があった。
【先行技術文献】
【特許文献】
【０００６】
【特許文献１】特許第３５２２６５０号公報
【特許文献２】特開２０１３−１９８８６５号公報
【特許文献３】特許第５１３１００５号公報
【特許文献４】特開２０１２−１０１１７１号公報
【発明の概要】
【発明が解決しようとする課題】
【０００７】
本発明が解決しようとする課題は、被処理水への凝集剤の注入量を短時間でかつ高い精度で最適な量に制御することを可能とする水処理方法、水処理施設、注入凝集剤量評価システムおよび残留凝集剤量推算装置を提供することである。
【課題を解決するための手段】
【０００８】
実施形態の水処理方法は、マイナスに帯電している懸濁物を含む被処理水に、水中でプラスに帯電する凝集剤を注入して、懸濁物を凝集させることによってフロックを含む処理水を生成させる工程と、前記処理水に残留している残留凝集剤量を推算する工程と、前記残留凝集剤量と目標残留量とを比較して、前記残留凝集剤量が前記目標残留量よりも多いときは、前記被処理水に注入した前記凝集剤の量が過剰であると判断し、前記残留凝集剤量が前記目標残留量よりも少ないときは、前記被処理水に注入した前記凝集剤の量が過少であると判断する工程とを持つ。前記残留凝集剤量を推算する工程は、前記処理水の一部を採取し、採取した前記処理水からフロックを分離除去して、微粒子を含む試験水を調製する工程と、前記試験水の中に陽極と陰極を配置し、前記試験水に電圧を印加して、前記試験水に含まれている微粒子の中で前記陰極の方向に移動する微粒子の移動速度を測定する工程と、前記陰極の方向に移動する微粒子の前記移動速度に基づいて前記処理水に残留している残留凝集剤量を推算する工程とを持つ。
【図面の簡単な説明】
【０００９】
【図１】第１の実施形態の水処理施設の一例を示すブロック図。
【図２】試験水に電圧を印加したときの試験水中の微粒子と残留凝集剤量との関係を説明するための説明図。
【図３】第１の実施形態の水処理施設により実施される水処理方法の流れを説明するフローチャート。
【図４】第２の実施形態の水処理施設の一例を示すブロック図。
【図５】処理水中のフロックの荷電の分散値と残留凝集剤量との関係を説明するための説明図。
【図６】第２の実施形態の水処理施設により実施される凝集剤の目標残留量の設定方法の流れを説明するフローチャート。
【発明を実施するための形態】
【００１０】
以下、実施形態の水処理方法、水処理施設、注入凝集剤量評価システムおよび残留凝集剤量推算装置を、図面を参照して説明する。
【００１１】
本実施形態においては、水処理施設として、浄水場として利用可能な水処理施設を例に挙げて説明する。浄水場の原水（被処理水）中の懸濁物は、通常、マイナスに帯電している。原水に水中でプラスに帯電する凝集剤を注入すると、原水中の懸濁物が凝集してフロックを形成する。マイナスに帯電している懸濁物とプラスに帯電している凝集剤とが付着して、懸濁物のマイナスの荷電が打ち消されることで、懸濁物の表面荷電が０に近づき、懸濁物同士の反発が弱まってフロックの形成が進むと考えられている。
【００１２】
凝集剤の注入量が過少であると、懸濁物の有するマイナスの荷電が十分に打ち消されず、懸濁物の表面荷電がマイナスの値を持ったままとなり、フロックの形成が十分に進まなくなる。従って、凝集剤の注入量は、懸濁物の有するマイナスの荷電が十分に打ち消さるように、わずかに過剰とすることが好ましい。一方、凝集剤の注入量が過剰になりすぎると、凝集剤の有するプラスの荷電の影響によって、懸濁物の表面荷電がプラスの値を持つことになる。このプラスの表面荷電の絶対値が急激に大きくなると、懸濁物同士の反発が強まって、フロックの形成が進まなくなる。
【００１３】
本発明者らは、このような現象に着目し、処理水中に存在している、フロックを形成していない微粒子のうちのプラスに帯電している微粒子の量から、処理水中に残留している凝集剤の量を推算することによって、原水に注入した凝集剤の量の過不足を判定できることを見出した。プラスに帯電している微粒子の量は、処理水からフロックを分離除去することによって調製した、微粒子を含む試験水を用い、電気泳動法を利用して、試験水中のプラスに帯電している微粒子の移動速度を測定することによって得ることができる。
【００１４】
さらに、本発明者らは、処理水に含まれているフロックの荷電の分散値を測定して、このフロックの荷電の分散値が目標値以上であると判断したときの、処理水を用いて推算した残留凝集剤量を、残留凝集剤の目標残留量とすることによって、処理水に含まれているフロックの凝集状態を良好に維持できることを見出した。
【００１５】
次に、以上の知見に基づいて構成された水処理方法、水処理施設、注入凝集剤量評価システムおよび残留凝集剤量推算装置の実施形態について説明する。
【００１６】
（第１の実施形態）
図１は、第１の実施形態の水処理施設の一例を示すブロック図である。水処理施設１ａは、着水井１０と、混和池２２と、沈殿池４０と、濾過池５０と、パラメータ調整装置６０と、注入凝集剤量評価システム７０とを有している。
【００１７】
まず、本実施形態の注入凝集剤量評価システム７０について説明する。
注入凝集剤量評価システム７０は、原水に注入した凝集剤の量が最適な量であったか否かを評価するものである。注入凝集剤量評価システム７０は、残留凝集剤量推算装置８０と、注入凝集剤量判定装置９０とを有している。
【００１８】
残留凝集剤量推算装置８０は、処理水に残留している凝集剤の量（残留凝集剤量）を推算する装置である。残留凝集剤量推算装置８０は、微粒子を含む試験水を調製する調製部８１と、試験水中のプラスに帯電している微粒子の移動速度を測定する測定部８２と、処理水に残留している残留凝集剤量を推算する推算部８３とを有している。
【００１９】
調製部８１は、処理水の一部を採取し、採取した処理水からフロックを分離除去して、フロックを形成していなかった微粒子を含む試験水を調製するものである。処理水からフロックを分離除去する方法としては、ろ過、遠心分離及び沈降分離のいずれかの方法を用いることができる。試験水に含まれている微粒子の平均粒子径は、分離方法によっても異なるが、一般に１〜１０μｍの範囲内にある。
【００２０】
測定部８２は、電気泳動法を利用して、試験水中のプラスに帯電している微粒子の移動速度を測定するものである。具体的には、測定部８２は、試験水の中に陽極と陰極を配置し、前記試験水に電圧を印加して、前記試験水に含まれている微粒子の中で陰極方向に移動する微粒子の移動速度を測定するものである。試験水に印加する電圧は、一般に１０〜２０Vの範囲内である。
【００２１】
測定部８２は、例えば、内部に陽極と陰極とが対向配置されているセルと、セル内の陽極と陰極とに電圧を印加する電圧供給装置と、試験水に電圧を印加したときの試験水中の微粒子の移動速度を測定する速度測定装置とから構成することができる。
セルは、試験水を収容して、試験水に電圧を印加するものである。セルは、ガラス、アクリルなどの透明材料で形成されたものであることが好ましい。
【００２２】
速度測定装置としては、試験水に電圧を印加したときに、陰極方向に移動する微粒子の位置を、少なくとも第１時刻と第１時刻から所定時間経過後の第２時刻とに微粒子毎に測定するものを用いることができる。この場合、微粒子の位置の測定は、所定時間毎（例えば、１秒毎）に複数回行ってもよいし、所定時間連続して行ってもよい。
【００２３】
速度測定装置としては、セル内に向かって光を照射する光源と、試験水に含まれるフロックを撮影するカメラと、カメラを用いて撮影することで入力された信号を表示する表示装置とを有するものを用いることが好ましい。光源は、セルの試験水に光を照射できるものであれば、如何なるものであってもよい。光源としては、光の強度を調節できるものを用いることが好ましい。また、光源として、例えばレーザー光を照射するものを用いることができる。カメラは、セルの陽極および陰極の設置されていない側面の外面に設置することが好ましい。この場合、セルの壁面を介して、セル内の微粒子を含む試験水を撮影するため、セルとして透明材料で形成されたものを用いる。カメラとしては、例えば、試験水中の微粒子を光源により照射して得られる微粒子表面の散乱光を受光するものを用いることができる。
【００２４】
推算部８３は、陰極方向に移動する微粒子の移動速度に基づいて処理水に残留している残留凝集剤量を推算するものである。
ここで、試験水に電圧を印加したときの試験水中の微粒子の動きと残留凝集剤量との関係を、図２を参照しながら説明する。図２に示すように、試験水８４は、懸濁物粒子８５（黒く塗りつぶされた粒子）と、凝集剤粒子８６（白抜きの粒子）とを含む。懸濁物粒子８５は、マイナスに帯電している。凝集剤粒子８６は、プラスに帯電している。図２において、矢印は、陽極８７と陰極８８を用いて試験水８４に電圧を印加したときの微粒子の移動方向を示している。
【００２５】
図２の（ａ）は、凝集剤の注入量が適量よりも過少であった処理水から調製した試験水８４に電圧を印加したときの微粒子の動きを表している。この場合、懸濁物粒子８５には凝集剤粒子８６が付着していないか、あるいは付着しているとしてもその量が少ないため、懸濁物粒子８５はマイナスに帯電している。従って、試験水８４に電圧を印加すると、懸濁物粒子８５及び凝集剤粒子８６は陽極８７の方向に素早く移動する。
【００２６】
図２の（ｂ）は、凝集剤の注入量が適量であった処理水から調製した試験水に電圧を印加したときの微粒子の動きを表している。この場合、懸濁物粒子８５は、凝集剤粒子８６によってマイナスの荷電が十分に打ち消されて、わずかにプラスに帯電しているか、電荷が中性となっている。従って、試験水８４に電圧を印加すると、懸濁物粒子８５及び凝集剤粒子８６は緩やかに陰極８８の方向に移動する、あるいは不規則な方向に移動する。
【００２７】
図２の（ｃ）は、凝集剤の注入量が適量よりも過剰であった処理水から調製した試験水に電圧を印加したときの微粒子の動きを表している。この場合、懸濁物粒子８５には過剰の凝集剤粒子８６が付着しており、また単独の凝集剤粒子８６も存在している。このため、試験水８４に電圧を印加すると、懸濁物粒子８５及び凝集剤粒子８６は陰極８８の方向に素早く移動する。
【００２８】
このように、試験水８４に直流電圧を印加したときの試験水８４に含まれる微粒子のうちの陰極８８の方向に移動する微粒子（プラスに帯電している微粒子）の移動速度は、処理水に残留している凝集剤の量と密接な関係を持つ。残留凝集剤量を推算する方法としては、凝集剤量が既知の試験水を用意し、この試験水での微粒子の移動速度を測定して、凝集剤濃度と微粒子の移動速度の標準曲線を作成し、この標準曲線に基づいて測定した微粒子の移動速度から凝集剤量を求める方法、移動速度から微粒子の荷電量を算出し、この算出した荷電量を凝集剤の荷電量として凝集剤量に換算する方法を用いることができる。残留凝集剤量の推算は、例えば、コンピュータの中央演算装置に備えられた機能によって実現される。
【００２９】
注入凝集剤量判定装置９０は、残留凝集剤量と目標残留量とを比較して、残留凝集剤量が目標残留量よりも多いときは、原水に注入した凝集剤の量が過剰であると判断し、残留凝集剤量が目標残留量よりも少ないときは、原水に注入した前記凝集剤の量が過少であると判断するものである。これらの判断は、例えば、コンピュータの中央演算装置に備えられた機能によって実現される。
【００３０】
次に、第１の実施形態の水処理装置について、注入凝集剤量評価システム７０以外の構成、即ち、着水井１０と、混和池２２と、沈殿池４０と、濾過池５０と、パラメータ調整装置６０について説明する。
【００３１】
着水井１０は、水処理施設１ａによって処理すべき原水（被処理水）を収容するものである。
混和池２２は、原水と凝集剤とを混合して生成されたフロック（凝集物）を含む処理水（混和水）を収容するものである。混和池２２は、配管により着水井１０と接続された急速混和池２０と、配管により急速混和池２０と接続されたフロック形成池３０とを有している。フロック形成池３０は、急速混和池２０から供給された処理水中のフロックを成長させるためのものである。フロック形成池３０は、３つの撹拌池３１、３２、３３を有している。フロック形成池３０の第１撹拌池３１には、急速混和池２０で生成された処理水が供給される。第２撹拌池３２には、第１撹拌池３１を通過した処理水が供給され、第３撹拌池３３には、第２撹拌池３２を通過した処理水が供給される。
【００３２】
着水井１０と急速混和池２０との間の配管には、流量調整弁６１、流量計６２およびｐＨ測定装置６３が備えられている。急速混和池２０には、ｐＨ調整剤注入装置６４と凝集剤注入装置６５とが備えられている。
【００３３】
急速混和池２０、第１撹拌池３１、第２撹拌池３２、第３撹拌池３３には、それぞれ、例えば、モータにより駆動される撹拌装置２１、３４、３５、３６が備えられている。撹拌装置２１、３４、３５、３６は、混和池２２を形成している各池の処理水の撹拌強度が、上流側から下流側に向けて段階的に小さくなるように設定されている。撹拌装置２１としては、例えばフラッシュミキサを用いることができる。撹拌装置３４、３５、３６としては、例えば、フロキュレータを用いることができる。
【００３４】
沈殿池４０は、第３撹拌池３３の下流に設けられている。沈殿池４０は、混和池２２から供給されたフロックを含む処理水を収容し、フロックを沈殿させるものである。
濾過池５０は、沈殿池４０の下流に設けられている。濾過池５０には、混和池２２から供給された処理水を、沈殿池４０において所定時間以上滞留させることによって得られた上澄水が供給される。濾過池５０は、例えば、砂濾過装置である。
【００３５】
パラメータ調整装置６０は、流量調整弁６１、流量計６２、ｐＨ測定装置６３、ｐＨ調整剤注入装置６４、凝集剤注入装置６５および注入凝集剤量判定装置９０に接続している。パラメータ調整装置６０は、凝集剤注入装置６５から注入される凝集剤の注入量を制御する機能、原水の流量を制御する機能、ｐＨ調整剤の種類および注入量を制御する機能、撹拌装置２１、３４、３５、３６の撹拌強度を調整する機能を有するものである。凝集剤の注入量は、注入凝集剤量判定装置９０から処理水中の凝集剤が不足している信号または試験水中の凝集剤の注入量が過剰である信号が入力されることにより制御される。これらの制御は、例えば、コンピュータの中央演算装置に備えられた機能によって実現される。
【００３６】
次に、水処理施設１ａを用いた水処理方法を、説明する。
本実施形態の水処理方法では、まず、水処理施設１ａによって処理すべき原水は着水井１０に導入される。着水井１０に導入された原水は、混和池２２の急速混和池２０に、配管を介して供給される。着水井１０から急速混和池２０への原水の供給は、流量調整弁６１によって、所定の供給量で連続して行われる。急速混和池２０に供給する原水の流量は、着水井１０と急速混和池２０とを接続する配管に設置された流量計６２によって測定され、パラメータ調整装置６０に入力される。また、急速混和池２０に供給する原水のｐＨは、着水井１０と急速混和池２０とを接続する配管に設置されたｐＨ測定装置６３を用いて測定され、パラメータ調整装置６０に入力される。原水の流量の測定およびｐＨの測定は、原水の供給を開始してから終了するまでの間連続して行ってもよいし、所定の時間毎に行ってもよい。
【００３７】
この急速混和池２０に供給された原水の水処理方法を、図３を用いて説明する。図３は、第１の実施形態の水処理施設１ａにより実施される水処理方法の流れを説明するフローチャートである。
【００３８】
本実施形態の水処理方法では、まず、原水に投入する凝集剤の投入量を決定する（ステップＳ１０）。次に、原水にその決定された量の凝集剤を投入する（ステップＳ１２）。これによって、原水中の懸濁物が凝集し、フロックが形成されて、フロックを含む処理水が生成する。その生成した処理水に残留している残留凝集剤量を推算する（ステップＳ１４）。そして、残留凝集剤量と目標残留量とを比較して、残留凝集剤量が目標残留量の範囲内にあるか否かを判断する(ステップＳ１６)。ここで、残留凝集剤量が目標残留量の範囲内にある場合（ステップＳ１６：ＹＥＳ）は、凝集剤の投入量は維持されて、その量の凝集剤が原水に投入される。一方、残留凝集剤量が目標残留量の範囲内にない場合（ステップＳ１６：ＮＯ）は、残留凝集剤量が目標残留量の範囲内となるように、凝集剤の投入量が再設定される。
【００３９】
ステップＳ１０の原水に投入する凝集剤の投入量を決定する工程は、パラメータ調整装置６０によって実行される。パラメータ調整装置６０は、原水の水量、ｐＨ、濁度などの情報に基づいて凝集剤の投入量を決定することができる。また、作業者が凝集剤の投入量を決定し、これをパラメータ調整装置６０に入力してもよい。
【００４０】
ステップＳ１２の凝集剤を原水に投入する工程（以下、この工程を処理水生成工程という）は、パラメータ調整装置６０によって実行される。凝集剤としては、例えば、アルミ系の無機凝集剤、鉄系の無機凝集剤、高分子凝集剤を用いることができる。アルミ系の無機凝集剤の例としては、ポリ塩化アルミニウム（ＰＡＣ）および硫酸アルミニウム（硫酸ばんど）が挙げられる。
【００４１】
処理水生成工程において、凝集剤と共に、原水にｐＨ調整剤を注入してもよい。ｐＨ調整剤は、ｐＨ調整剤注入装置６４によって、所定の種類および注入量で供給される。ｐＨ調整剤としては、原水のｐＨに応じて、硫酸、塩酸などの酸性のもの、または水酸化ナトリウムなどのアルカリ性のものが用いられる。ｐＨ調整剤として、水酸化ナトリウムなどのアルカリ性のものを注入する場合、原水のアルカリ度が１５〜２５度、好ましくは２０度程度となるように、ｐＨ調整剤の注入量を制御することが好ましい。
【００４２】
処理水生成工程において生成したフロックを含む処理水は、フロック形成池３０の第１撹拌池３１に供給される。第１撹拌池３１に供給された処理水は、第１撹拌池３１と第２撹拌池３２と第３撹拌池３３とをこの順で通過する。混和池２２内では、撹拌装置２１、３４、３５、３６によって、フロックを含む処理水を撹拌する。撹拌強度は、急速混和池２０を最も大きくし、第１撹拌池３１、第２撹拌池３２、第３撹拌池３３の順で段階的に小さくしている。混和池２２内を通過することで、原水と凝集剤とが混ざり合い、フロックが生成し成長する。
【００４３】
処理水生成工程にて生成したフロックを含む処理水は、次いで沈殿池４０に供給され、フロックを沈降分離する分離工程によって処理される。分離工程では、フロックを含む処理水を、沈殿池４０内で所定時間以上、例えば３時間程度滞留させる。このことにより、処理水中のフロックが沈降し、沈殿する。沈殿池４０で沈殿したフロックは、汚泥として処理される。フロックが沈降分離された処理水は、上澄水として濾過池５０に供給される。
【００４４】
濾過池５０に供給された上澄水は、濾過池５０を通過した後、清浄水として外部に取り出される。濾過池５０から取り出された清浄水は、浄水池に送られて塩素による殺菌等が行われ、浄水池から取り出される。さらに、濾過池５０を通過した清浄水に、オゾン処理および／または生物活性炭処理を施してもよい。また、上澄水を濾過池５０に通過させる前に、上澄水に対してオゾン処理および／または生物活性炭処理を施してもよい。
【００４５】
ステップＳ１４の処理水に残留している残留凝集剤量を推算する工程（以下、この工程を残留凝集剤量推算工程という）は、残留凝集剤量推算装置８０によって実行される。残留凝集剤量推算工程では、処理水中に存在している、フロックを形成していない微粒子のうちのプラスに帯電している微粒子の量から、処理水中に残留している凝集剤の量を推算する。残留凝集剤量推算工程は、採取した処理水からフロックを分離除去して、微粒子を含む試験水を調製する工程(以下、試験水調製工程という)、試験水に電圧を印加したときの微粒子の移動速度を測定する工程（以下、移動速度測定工程という）、微粒子の移動速度に基づいて処理水に残留している残留凝集剤量を推算する工程(以下、推算工程という)を有する。
【００４６】
試験水調製工程は、調製部８１にて行われる。試験水調製工程では、まず、試験水として用いる処理水を混和池２２から採取する。次いで採取した処理水からフロックを分離除去して、微粒子を含む試験水を調製する。処理水の採取の場所は、急速混和池２０と第１撹拌池３１との間の配管、第１撹拌池３１、第２撹拌池３２、第３撹拌池３３のいずれかでもよい。処理水からフロックを分離除去する方法として、ろ過、遠心分離及び沈降分離のうちのいずれかの方法を用いることができる。
【００４７】
移動速度測定工程は、測定部８２にて行われる。移動速度測定工程では、電気泳動法を利用して、試験水中のプラスに帯電している微粒子の移動速度を測定する。移動速度測定工程では、試験水を、内部に陽極と陰極とが対向配置されているセルに注入する。次に、セル内の陽極と陰極とに電圧を印加する。そして、速度測定装置によって、試験水に含まれている微粒子の中で陰極方向に移動する微粒子の移動速度を測定する。移動速度測定工程において、試験水に電圧を印加する時間は、自由に設定でき、例えば３〜５分とすることができる。
【００４８】
推算工程は、推算部８３にて行われる。推算工程では、陰極方向に移動する微粒子（プラスに帯電している微粒子）の移動速度に基づいて、処理水に残留している残留凝集剤量を推算する。
【００４９】
ステップＳ１６の残留凝集剤量が目標残留量の範囲内にあるかを判断する工程（以下、この工程を、注入凝集剤量判定工程という）は、注入凝集剤量判定装置９０によって実行される。注入凝集剤量判定工程では、残留凝集剤量と目標残留量とを比較して、残留凝集剤量が目標残留量よりも多いときは、原水に注入した凝集剤の量が過剰であると判断し、残留凝集剤量が前記目標残留量よりも少ないときは、原水に注入した凝集剤の量が過少であると判断する。目標残留量は、例えば、凝集剤の注入量が適量であったとされた処理水から調製した試験水を用いて測定した残留凝集剤量とすることができる。
【００５０】
パラメータ調整装置６０は、凝集剤の量が過剰であると判断された場合には原水に投入する凝集剤の投入量を減量し、凝集剤の量が過少であると判断された場合には原水に投入する凝集剤の投入量を増量することを決定する。そして、その決定された量の凝集剤が原水に投入される。
【００５１】
本実施形態によれば、フロックを含む処理水に残留している凝集剤の量を、その処理水からフロックを分離除去して調製した試験水を用いて、電気泳動法を利用して測定したプラスに帯電している微粒子の移動速度に基づいて推算するので、原水（被処理水）に注入した凝集剤の過不足を早期に判定することができる。また、処理水からフロックを分離除去して調製した試験水を用いるので、処理水の濁度が高い場合でも残留している凝集剤の量を高い精度で推算することができる。このため、本実施形態によれば、原水に注入した凝集剤の量の過不足を短時間で精度よく判断することができる。
【００５２】
（第２の実施形態）
図４は、第２の実施形態の水処理施設の一例を示すブロック図である。第２の実施形態では、第１の実施形態との相違点を中心に説明し、第１の実施形態と共通する構成要素については、同一の符号を付して再度の説明を省略する。
【００５３】
第２の実施形態に係る水処理施設１ｂは、注入凝集剤量評価システム７０が、処理水に含まれているフロックの荷電の分散値を測定する装置（以下、フロック荷電分散値測定装置という）１００を有する。また、注入凝集剤量判定装置９０は、凝集剤の目標残留量を、フロック荷電分散値測定装置１００にて測定されたフロックの荷電の分散値が目標値以上であると判断したときと同じ処理水を用いて、残留凝集剤量推算装置８０にて推算された残留凝集剤量に変更できるように構成されている。
【００５４】
フロック荷電分散値測定装置１００は、フロックの移動速度を測定する測定部１０１と、フロックの電荷の分布を算出する算出部１０２とを有する。
測定部１０１は、電気泳動法を利用して、処理水中のフロックの電荷の分布を、フロックの移動速度として測定するものである。具体的には、測定部１０１は、フロックを含む処理水の中に陽極と陰極を配置し、処理水に電圧を印加して複数のフロックの移動速度をフロック毎に測定するものである。
【００５５】
測定部１０１は、例えば、内部に陽極と陰極とが対向配置されているセルと、セル内の陽極と陰極とに電圧を印加する電圧供給装置と、試験水に電圧を印加したときの処理水中のフロックの移動速度を測定する速度測定装置とから構成することができる。
セルは、残留凝集剤量測定装置で用いるものと同じものを用いることができる。
【００５６】
処理水中のフロックは、残留凝集剤量推算装置８０で用いる試験水中の微粒子と比較して粒子径が大きいため、水中を移動しにくい。このため、フロック荷電分散値測定装置１００で使用する電圧供給装置の印加電圧は、通常は、残留凝集剤量推算装置８０で使用する電圧供給装置より高い。フロック荷電分散値測定装置１００で使用する電圧供給装置の印加電圧は、一般に１０〜２０Ｖの電圧である。
【００５７】
速度測定装置としては、電圧を印加したときの試験水中のフロックの位置を、少なくとも第１時刻と第１時刻から所定時間経過後の第２時刻とに微粒子毎に測定するものを用いることができる。フロック荷電分散値測定装置１００で使用する速度測定装置は、セルの陽極に移動するフロックと陰極に移動するフロックの両者のフロックの位置を測定できるものを用いる。この場合、微粒子の位置の測定は、所定時間毎（例えば、１秒毎）に複数回行ってもよいし、所定時間連続して行ってもよい。
【００５８】
速度測定装置としては、セル内に向かって光を照射する光源と、試験水に含まれるフロックを撮影するカメラと、カメラを用いて撮影することで入力された信号を表示する表示装置とを有するものを用いることが好ましい。光源は、セルの処理水に光を照射できるものであれば、如何なるものであってもよい。光源としては、光の強度を調節できるものを用いることが好ましい。また、光源として、例えばレーザー光を照射するものを用いることができる。カメラは、セルの陽極および陰極の設置されていない側面の外面に設置することが好ましい。この場合、セルの壁面を介して、セル内の微粒子を含む試験水を撮影するため、セルとして透明材料で形成されたものを用いる。カメラとしては、例えば、試験水中の微粒子を光源により照射して得られる微粒子表面の散乱光を受光するものを用いることができる。
【００５９】
算出部１０２は、速度測定装置にて測定した処理水中に含まれる複数のフロックの位置の信号が入力されることにより、各フロックの移動速度のベクトルを生成する。また、算出部１０２は、生成したベクトルが、陽極方向の成分を含む場合にマイナス（第１符号）を付与し、陰極方向の成分を含む場合にプラス（第２符号）を付与する。さらに、算出部１０２は、マイナスの移動速度およびプラスの移動速度をそれぞれ所定の大きさ毎に集計して、複数のフロックの移動速度分布における分散値を算出する。なお、フロックの移動速度は、フロックの荷電と密接な関係を有する。従って、フロックの移動速度分布における分散値はフロックの荷電の分散値と同じとなる。
【００６０】
算出部１０２は、集計に用いるマイナスの移動速度として、マイナスの移動速度の全て（移動速度のベクトルの成分の全て）を用い、かつ、集計に用いるプラスの移動速度として、プラスの移動速度の全て（移動速度のベクトルの成分の全て）を用いることができる。
また、算出部１０２は、集計に用いるマイナスの移動速度として、マイナスの移動速度のうち、各フロックの移動速度のベクトルに含まれる陽極方向の成分の移動速度のみを用い、かつ、集計に用いるプラスの移動速度として、プラスの移動速度のうち、各フロックの移動速度のベクトルに含まれる陰極方向の成分の移動速度のみを用いてもよい。
【００６１】
算出部１０２は、複数のフロックの移動速度の、マイナスの移動速度とプラスの移動速度の平均値を算出するものであることが好ましい。
なお、算出部１０２は、陰極方向および陽極方向に速度成分を持たない移動速度は０とするものである。
【００６２】
算出部１０２の分散値を算出する機能、複数のフロックの移動速度の、マイナスの移動速度とプラスの移動速度の平均値を算出する機能は、例えば、コンピュータの中央演算装置に備えられた機能によって実現される。
【００６３】
図５は、フロックの荷電の分散値と、残留凝集剤量との関係を示す図である。
図５において（Ａ）〜（Ｄ）は、凝集剤の注入量の異なる処理水に電圧を印加し、上述した分散値と同様の方法により作成した複数のフロックの荷電分布のヒストグラムの一例である。なお、フロックの荷電（表面電位）は、上述したように、フロックの移動速度の絶対値と相関があるため、フロックの荷電分布のヒストグラムの形状は、フロックの移動速度分布のヒストグラムと同じである。図５に示す（Ａ）〜（Ｄ）のグラフにおいて、横軸は、マイナスの荷電およびプラスの荷電の大きさを示し、中心を０として所定の表面電位毎に階級分けしたものである。縦軸は検出個数を示す。
【００６４】
処理水中のフロックの荷電が中性である場合には、処理水に電圧を印加しても、一方向に偏ったフロックの移動は生じない。このため、検出個数はプラスの領域またはマイナスの領域に偏ることなく、広い範囲で疎らとなる。したがって、フロックの移動速度分布の分散値σが大きくなり、そのヒストグラムは、平たい分布形状となる（例えば、図５における（Ｂ）、（Ｃ）のヒストグラム参照）。
【００６５】
これに対し、処理水中のフロックの荷電がプラスまたはマイナスである場合には、フロックの移動方向が陰極方向または陽極方向へ偏るため、フロックの移動速度分布のヒストグラムは、プラスの領域またはマイナスの領域にシャープなピークを有する形状となる（図５における（Ａ）、（Ｄ）のヒストグラム参照）。したがって、荷電がプラスまたはマイナスである場合のフロックの分散値σは、荷電が中性である場合（凝集剤の注入量が適正である場合）と比較して小さいものとなる。
【００６６】
このように、フロックの荷電状態の分散値σは、処理水中のフロックの凝集状態が良好である場合には大きく、処理水中のフロックの凝集状態が不良である場合には小さくなる傾向がある。よって、フロックの移動速度分布の分散値σに基づいて、フロックの荷電の分散状態を評価することが可能になる。
【００６７】
図５（Ｅ）のグラフは、原水に注入した凝集剤の量（注入凝集剤量）に対するフロックの荷電の分散値と残留凝集剤量との関係を示したものである。図５における（Ｅ）の分散値のグラフ中の点は、それぞれ図５における（Ａ）〜（Ｄ）のヒストグラムで示すフロックの荷電分布の分散値σに対応している。
【００６８】
図５（Ｅ）に示すように、フロックの荷電状態の分散値σと処理水の残留凝集剤量とは、分散値σが低い場合（フロックがマイナスに帯電している場合）には残留凝集剤量が低く、分散値σが高い場合（フロックがプラスに帯電している場合）には残留凝集剤量が高いという関係がある。従って、分散値σが目標値以上となる範囲になるように、残留凝集剤量の目標値を設定することによって、処理水に生成するフロックの凝集状態を良好に維持できることがわかる。
【００６９】
凝集剤の目標残留量の設定方法を、図６を参照しながら説明する。図６は、第２の実施形態の水処理施設により実施される凝集剤の目標残留量の設定方法の流れを説明するフローチャートである。
【００７０】
本実施形態の目標残留量の設定方法では、先ず、パラメータ調整装置６０は、原水に投入する凝集剤の投入量を決定する（ステップＳ２０）。次に、原水にその決定された量の凝集剤を投入する（ステップＳ２２）。これによって、原水中の懸濁物が凝集し、フロックが形成されて、フロックを含む処理水が生成する。その生成した処理水に残留している残留凝集剤量を推算する（ステップＳ２４）。これと同時に、処理水に含まれているフロックの荷電の分散値を測定する（ステップＳ２６）。次いで、フロックの荷電の分散値が目標値以上であるか否かを判断する（ステップＳ２８）。そして分散値が目標値以上である場合（ステップＳ２８：ＹＥＳ）は、目標残留量を、分散値の測定と同時に、推算された残留凝集剤量の値に設定する（ステップＳ３０）。一方、分散値が目標値以上でない場合（ステップＳ２８：ＮＯ）は、分散値が目標値以上となるように、凝集剤の投入量を再設定する。
【００７１】
以上の凝集剤の目標残留量の設定方法において、ステップＳ２０の凝集剤の投入量を決定する工程、ステップＳ２２の原水に凝集剤を投入する工程、ステップＳ２４の残留凝集剤量を推定する工程は、前述のステップＳ１０、ステップＳ１２、ステップＳ１４の各工程と同じである。
【００７２】
ステップＳ２６のフロックの移動速度を測定する工程（以下、この工程をフロック荷電分散値測定工程という）は、フロック荷電分散値測定装置１００によって実行される。フロック荷電分散値測定工程は、フロックの移動速度を測定する工程（以下、この工程を移動速度測定工程という）と、フロックの移動速度分布における分散値を算出する工程(以下、この工程を分散値算出工程という)とを有する。
【００７３】
移動速度測定工程は、測定部１０１にて行われる。移動速度測定工程では、電気泳動法を利用して、処理水中のフロックの移動速度を測定する。測定部１０１にて測定対象として用いる処理水は、残留凝集剤量推算装置８０で用いる処理水と同じ場所と時間で採取することが好ましい。移動速度測定工程では、処理水を、内部に陽極と陰極とが対向配置されているセルに注入する。次に、セル内の陽極と陰極とに電圧を印加する。そして、速度測定装置によって、処理水に含まれている複数のフロックの移動速度をフロック毎に測定する。移動速度測定工程において、処理水に電圧を印加する時間は、自由に設定でき、例えば３〜５分とすることができる。
【００７４】
分散値算出工程は、算出部１０２にて行われる。分散値算出工程では、各フロックの移動速度のベクトルが、陽極の方向の成分を含む場合に第１符号を付与し、陰極の方向の成分を含む場合に第２符号を付与し、第１符号の移動速度および第２符号の移動速度をそれぞれ所定の大きさ毎に集計して、前記複数のフロックの移動速度分布における分散値を算出する。
【００７５】
ステップＳ２８の分散値が目標値以上であるか否かを判断する工程と、ステップＳ３０の目標残留量を残留凝集剤量の値に設定する工程は、注入凝集剤量判定装置９０によって実行される。
【００７６】
このフロックの荷電の分散値を用いた目標残留量の変更は、例えば、原水の水質変動や水温変化があったとき、凝集剤を変更したとき、凝集剤を新しく調製し直したとき、沈殿池４０から取り出された上澄水の濁度や濾過時間指標（ＳＴＲ）が上昇したとき行う。
【００７７】
本実施形態によれば、残留凝集剤量の目標値を、処理水に含まれているフロックの荷電の分散状態によって設定することができるので、原水に注入すべき懸濁物の量をより正確に最適化することができ、処理水に生成するフロックの凝集状態を良好に維持することができる。
【００７８】
以上説明した少なくともひとつの実施形態によれば、原水に注入した凝集剤の量の過不足を短時間で精度よく判断することができる。このため、原水への凝集剤の注入量を短時間で精度よく最適化することができ、原水に含まれている懸濁物を、凝集剤を用いて効率よく除去することが可能となる。
【００７９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８０】
１ａ…水処理施設、１ｂ…水処理施設、１０…着水井、２０…急速混和池、２１、３４、３５、３６…撹拌装置、２２…混和池、３０…フロック形成池、３１…第１撹拌池、３２…第２撹拌池、３３…第３撹拌池、４０…沈殿池、５０…濾過池、６０…パラメータ調整装置、６１…流量調整弁、６２…流量計、６３…ｐＨ測定装置、６４…ｐＨ調整剤注入装置、６５…凝集剤注入装置、７０…注入凝集剤量評価システム、８０…残留凝集剤量推算装置、８１…調製部、８２…測定部、８３…推算部、８４…試験水、８５…懸濁物粒子、８６…凝集剤粒子、８７…陽極、８８…陰極、９０…注入凝集剤量判定装置、１００…フロック荷電分散値測定装置、１０１…測定部、１０２…算出部
【図１】
0006437394.tif 000002
【図２】
0006437394.tif 000003
【図３】
0006437394.tif 000004
【図４】
0006437394.tif 000005
【図５】
0006437394.tif 000006
【図６】
0006437394.tif 000007